(57)【要約】【課題】底部材を締結するためのビス止めボスをコイル台に設け、外ケースと内ケース間の側部空間に他の部品を再配置するための空間を形成することにより、容器本体のコンパクト化を可能にする電気炊飯器を提供することを目的とする。【解決手段】内壁を形成する内ケース、外壁を形成する外ケース及び底部を形成する底部材を有する容器本体と、該容器本体に対し開閉自在な蓋部材と、前記内ケース内に収納される内鍋と、加熱手段としての平面コイルと、該平面コイルを支持するコイル台とを有する電気炊飯器において、前記底部材をビス止めするための締結用ボスを、前記コイル台であって、且つ前記内鍋の底径の領域内の位置に複数箇所設け、前記底部材を前記コイル台にビス止めする電気炊飯器。【選択図】図１
2008253646.tif 000002
【特許請求の範囲】
【請求項１】
内壁を形成する内ケース、外壁を形成する外ケース及び底部を形成する底部材を有する容器本体と、該容器本体に対し開閉自在な蓋部材と、前記内ケース内に収納される内鍋と、加熱手段としての平面コイルと、該平面コイルを支持するコイル台とを有する電気炊飯器において、
前記底部材をビス止めするための締結用ボスを、前記コイル台であって、且つ前記内鍋の底径の領域内の位置に複数箇所設け、前記底部材を前記コイル台にビス止めすることを特徴とする電気炊飯器。
【請求項２】
前記締結用ボスは、前記平面コイルの最外径の外側に位置することを特徴とする請求項１に記載の電気炊飯器。
【請求項３】
前記内鍋の外周側面に上下にわたり保温ヒータを設け、その一部は前記内鍋の底部と側部との間の湾曲部に位置することを特徴とする請求項１または２に記載の電気炊飯器。
【請求項４】
前記内ケースと前記外ケースとの間に断熱材を設けることを特徴とする請求項１ないし３のいずれか一に記載の電気炊飯器。
【発明の詳細な説明】
【技術分野】
【０００１】
本願発明は、炊飯器の底部材取付構造に関するものである。
【背景技術】
【０００２】
電気炊飯器は、多くの便利な機能が付加されている。例えば、加熱手段としてワークコイル等からなる誘導加熱方式もその一つであり、効率的な炊飯制御並びにその後の長時間に亘る的確な保温制御を行うことができる等、非常に使い勝手の良い製品の一つとなっている。
【０００３】
誘導加熱式の電気炊飯器として例えば図９で概略的に示すものが知られている。この電気炊飯器ａは、図に示すように、容器本体１と、該容器本体１に対し開閉自在な図示しない蓋部材とにより構成され、容器本体１は、外壁を形成する外ケース２と、内壁を形成する保護枠である内ケース３と、外ケース２に係止される外底壁を形成する底部材４とを有し、前記内ケース３内には、飯米等の内容物を加熱調理する図示しない内鍋が収納配置される。
【０００４】
また、前記内ケース３の底部及び底部から側部にかけての湾曲部には、底コイル５及びコーナーコイル６からなるワークコイルが設けられる。このワークコイルを高周波電源に通電すると強い磁界が発生し、該磁界により内鍋外表面近傍に渦電流に起因したジュール熱が発生し、該ジュール熱により内鍋が加熱され、内容物が加熱調理されることになる。
【０００５】
そして、この例のものは、前記底部材４を内ケース３に取り付けている。その取り付けは、内ケース３のコーナーコイル６の上方の外周面から張出部材７を垂下し、その下端にねじ穴を有するボス８を設け、このボス８に設けるねじ穴に底部材４の外面よりビス１０を取り付けることにより、底部材４を内ケース３にビス止めするものである。そして、張出部材７は、外ケース２と内ケース３との間の側部空間９に突き出る形態で設けられている（例えば、特許文献１参照）。
【０００６】
ところで、近時、電気製品全般にいえることであるが、製品のコンパクト化が叫ばれ、電気炊飯器についても同様である。そのため、外ケース２と内ケース３との間の側部空間９を有効利用し、例えば基板、冷却ファン等の部品を配置しようとしても、従来のものでは張出部材７が側部空間９に突き出る形態で設けられているため、側部空間９を有効利用して電気炊飯器ａの部品を再配置し、容器本体１をコンパクトにすることができなかった。
【０００７】
また、出願人は、既に土鍋炊飯器に関する発明を多数出願しているが、土鍋の場合、金属に比べ熱伝導が悪いため、底面での加熱は勿論のこと、側部においてもできるだけ多くの面を効率的に加熱することが求められている。ところが、従来のものでは、内ケース３のコーナーコイル６の上方の外周面に張出部材７が設けられているため、土鍋の外周面の上下にわたり保温ヒータを設けることができなかった。
【０００８】
更に、近時、電気炊飯器にも省エネが求められており、内ケース３の外周面からの熱の逃げを低減するために内ケース３の外周に断熱材を設けようとしても、従来のものでは、内ケース３のコーナーコイル６の上方の外周面に張出部材７が設けられているため、土鍋の外周面の上下にわたり断熱材を設けることができなかった。  
【特許文献１】特開平１１−１３７４１９号公報
【発明の開示】
【発明が解決しようとする課題】
【０００９】
本願発明は、底部材を締結するためのビス止めするための締結用ボスをコイル台に設け、外ケースと内ケース間の側部空間に他の部品を再配置するための空間を形成することにより、容器本体のコンパクト化を可能にする電気炊飯器を提供することを目的とする。
【課題を解決するための手段】
【００１０】
上記目的を達成するため、本願発明は以下の構成を採用する。
【００１１】
請求項１に係る発明では、内壁を形成する内ケース、外壁を形成する外ケース及び底部を形成する底部材を有する容器本体と、該容器本体に対し開閉自在な蓋部材と、前記内ケース内に収納される内鍋と、加熱手段としての平面コイルと、該平面コイルを支持するコイル台とを有する電気炊飯器において、前記底部材をビス止めするための締結用ボスを、前記コイル台であって、且つ前記内鍋の底径の領域内の位置に複数箇所設け、前記底部材を前記コイル台にビス止めする構成。
【００１２】
そしてこのような構成により、外ケースと内ケース間の側部空間に他の部品を再配置するための空間が形成されるため、その空間に他の箇所にある部品を再配置することにより容器本体がコンパクト化される。また、内ケースの外周側面にわたり障害物がなくなるため、内ケースの全外周側面に上下にわたって加熱手段、例えば保温ヒータの設置が可能になる。また、内ケースを側面と底面とが略直交するような所謂寸胴状のものにし、その全外周側面の上下にわたって加熱手段、例えば保温ヒータの設置が可能になる。
【００１３】
請求項２に係る発明では、前記締結用ボスは、前記平面コイルの最外径の外側に位置する構成。ところで、締結用ボスは、中央にねじ穴を有し、ビスを上下方向に螺合するものであるため、径方向は勿論のこと上下方向にも所定の長さが必要になる。このようなコイル台に締結用ボスを形成する場合、コイル台の底部から垂下する形態で締結用ボスを形成することが考えられるが、このような形態にすると、コイル台の底部から締結用ボスが下方に長く垂下することになりコイル台と底部材との間の空間が大きくなるという弊害が発生する。このような弊害をなくすため、締結用ボスをコイル台の上下に突き出る形態で形成することが考えられる。しかしながら、このような形態で締結用ボスを設けると締結用ボスと平面コイルとの接触が考えられる。上記構成により、締結用ボスをコイル台の上下に突き出る形態で形成することができ、このような構成にしても締結用ボスと平面コイルとの接触はなくなる。
【００１４】
請求項３に係る発明では、前記内鍋の外周側面に上下にわたり保温ヒータを設け、その一部は前記内鍋の底部と側部との間の湾曲部に位置する構成。そしてこのような構成により、内鍋の略全面からの加熱が可能になる。
【００１５】
請求項４に係る発明では、前記内ケースと前記外ケースとの間に断熱材を設ける構成。そしてこのような構成により、電気炊飯器のより省エネが可能になる。
【発明の効果】
【００１６】
請求項１に係る発明では、底部材をビス止めするための締結用ボスを、コイル台であって、且つ内鍋の底部の直径の領域内の位置に複数箇所設け、底部材をコイル台にビス止めすることにより、外ケースと内ケース間に新たに形成される側部空間に他の箇所にある部品を再配置することができるため容器本体をよりコンパクトにすることができる。また、内ケースの全外周側面に上下にわたって保温ヒータを設置することができるため、内鍋は勿論のこと、例えば土鍋炊飯の機能をより向上することができる。
【００１７】
請求項２に係る発明では、締結用ボスを平面コイルの最外径の外側に位置させることにより、請求項１の効果に加え、例え締結用ボスをコイル台の上下に突き出る形態で形成したとしても締結用ボスと平面コイルとが接触する弊害をなくすことができる。また、締結用ボスをコイル台の上下に突き出る形態で形成することにより、電気炊飯器の下方空間の増大をなくすことができる。
【００１８】
請求項３に係る発明では、内鍋の外周側面に上下にわたり保温ヒータを設け、その一部を内鍋の底部と側部との間の湾曲部に位置することにより、請求項１又は２の効果に加え、内鍋の略全面から加熱を行うことができるようになり、内鍋は勿論のこと、例えば土鍋炊飯の機能を更に向上することができる。
【００１９】
請求項４に係る発明では、内ケースと外ケースとの間に断熱材を設けることにより、請求項１ないし３のいずれかの効果に加え、電気炊飯器をより省エネすることができるとともに、利便性をより高めることができる。
【実施例】
【００２０】
図１は、電気炊飯器に本願発明を適用した断面図を示し、図２は、底部材を取り外し、底面側である下方から見た状態を示す図を示し、図３は、内ケースを下方から見た図を示し、図４は、コイル台の断面図を示し、図５は、コイル台を下方から見た図を示し、図６は、図５のＢ矢視方向に見た図を示し、図７は、コイル台押さえを下方から見た図を示し、図８は、底部材を下方から見た図を示す。なお、以下においては、電気炊飯器の表示装置側を前方或いは前方側とし、表示装置と反対方向のヒンジ側を後方或いは後方側とし、前後方向に直交する側を左右方向とする。また、内鍋を土鍋として説明するが金属鍋でもよい。
【００２１】
電気炊飯器ａは、図１に示すように大別して、内部に内鍋である土鍋５５を収納可能な容器本体４０と、該容器本体４０の上部開口を開閉自在な蓋部材２０とからなる。該蓋部材２０は、ポリプロピレン（ＰＰ）等からなる樹脂製の蓋部材２０ａと、該樹脂製蓋部材２０ａの上面に無理嵌めされる金属製の蓋部材２０ｂからなる。
【００２２】
前記樹脂製蓋部材２０ａは、上蓋２１、下蓋２２、放熱板２３及び内カバー２４を有する。そして、上蓋２１及び下蓋２２間に形成される内部空間には断熱材２５が設けられ、上方への熱の逃げを低減する。また、放熱板２３の上面には、ヒータ２６が配置され、該放熱板２３をヒータ２６により加熱し、土鍋５５内の内容物を上方から加熱する。
【００２３】
蓋部材２０の中央部には、調圧栓２７が設けられ、その内部には弁部材２８が設けられ、内部圧が所定以上になると、弁部材２８が開口し内部の蒸気を蒸気通路２９を介して蒸気口３０より外部に放出する。更に、蓋部材２０の後方側には、既に公知のバネ材を内在したヒンジ機構３１が設けられ、電気炊飯器ａの前方側上部に設けられるロック部材３２の施錠ないし開錠作用により蓋部材２０を容器本体に対して開閉する。
【００２４】
前記容器本体４０は、外壁を形成する外ケース４１、該外ケース４１内にあり内壁を形成する保護枠でもある内ケース４２、それら内外ケース４１、４２の上端部を形成する肩部材４３、及び電気炊飯器ａの底部を形成する底部材８０からなる。前記外ケース４１は、ステンレス等の金属製で上下開口の円筒状部材であり、電気炊飯器ａの胴部を形成する。前記肩部材４３は、樹脂製、例えばポリプロピレン（ＰＰ）等からなり、容器本体４０の上部の肩部を形成する部材であり、その後方側にはヒンジ機構３１が設けられる。
【００２５】
容器本体４０の内部を形成する前記内ケース４２は、上方が開口される容器状の樹脂製部材であり、その上端部には外方に張り出したフランジ４２ａが形成され、フランジ４２ａには内ケース４２を肩部材４３に取り付けるための４個のビス穴５１が設けられる。内ケース４２の底部外周には後記コイル台６０をねじ止めするための４個のねじ穴５２が略等間隔に設けられる。また、その底部中央には後記センターセンサ８６が貫通するための中央開口５３が設けられ、該中央開口５３の外周部には後記コイル台６０が嵌合する筒状突起５４が形成される。
【００２６】
内ケース４２の外周上には、リング状の保温ヒータ４５が複数本アルミシートで張り付けられる。この保温ヒータ４５は、内ケース４２の外周側面に上下方向にわたり複数本、例えば４本設けられる。この例の場合、最下部のヒータ４５は土鍋５５の側面部５５ａから底面部５５ｂにかけての湾曲部５５ｃに対向する位置、即ち、内ケース４２の下端部或いはその近傍、別言すれば、後記土鍋５５の環状突起５６の外側に設けられ、最上部のヒータ４５は内ケース４２のフランジ４２ａの下端部或いはその近傍に設けられるとともに、残りのヒータ４５は最上下部間に略均等に配置される。その結果、内部に収納される土鍋５５を側部全面より効率的に加熱並びに保温することができるようになる。
【００２７】
そして、内ケース４２は、肩部材４３に対してフランジ４２ａのビス穴５１に挿入される図示しないビスにより固定され、外ケース４１は、肩部材４３下端部の凹部４３ａと底部材８０とで挟持される。なお、保温ヒータ４５は、内ケース４２の外周側面の上下端部に位置し、その間で略均等に配置されるのであれば、１本の線を螺旋巻きにするものであっても、或いは上下方向に波状に湾曲させて巻くようなものであってもよい。
【００２８】
前記保温ヒータ４５の外周には、該保温ヒータ４５を覆って断熱材４６が巻かれており、内ケース４２の側面からの熱の逃げを防止している。なお、本願発明は外ケース４１と内ケース４２との間の側部空間４１ａをできる限り狭くする、即ち、電気炊飯器全体をコンパクトにすることも課題にしており、その場合、外ケース４１の加熱を防止するために断熱材４６を設けることは非常に有効である。また、内ケース４２のフランジ４２ａの上面には、肩ヒータ４７が設けられており、土鍋５５の上部側面を加熱する。
【００２９】
内ケース４２の底部には、ドーナツ状のセラミックプレート４８が配置される。このセラミックプレート４８は断熱部材であり、土鍋５５からの熱を反射し熱が下方へ伝わるの防止する。更に内ケース４２の底部のセラミックプレート４８の外側には、略方形の凹部４９が略等間隔に複数個、例えば３個設けられるとともに、該凹部４９にはそれぞれ略方形のシリコン部材５０が、その上端を凹部４９から若干飛び出る形態で圧入される。このシリコン部材５０は、土鍋５５が内ケース４２に収納された際、土鍋５５の底部下面に設けられる脚に相当する環状突起５６が該シリコン部材５０上に載り、土鍋５５のがたつき並びに回転を防止する。
【００３０】
内ケース４２の内部には、非金属製内容器である焼成セラミックスやガラスなどからなる陶磁器製の土鍋５５が収納される。土鍋５５は、略垂直な側面部５５ａと、略水平な底面部５５ｂと、側面部５５ａと底面部５５ｂとの間の薄肉で且つ円弧状の湾曲部５５ｃとを有する上方開口の容器部材である。
【００３１】
そして、底面部５５ｂには、下方に突出した環状突起５６が形成されており、土鍋５５が内ケース４２に収納された際、該環状突起５６は、内ケース４２の底部に設けられる３個のシリコン部材５０上に載置される。また、環状突起５６内の底面部５５ｂには、発熱体５７が設けられる。発熱体５７は、例えば数十ミクロンの銀の粒状物と樹脂との混合物からなる銀ペーストをスクリーン印刷により必要箇所に塗布し、その後焼成してなるものである。該発熱体５７は、平面コイル５８に対向配置され、平面コイル５８により誘起される渦電流に起因したジュール熱により発熱され、その発熱により土鍋５５が加熱される。なお、発熱体５７は、銅箔やステンレス製の網（ラス）などのような金属製のものを予め土鍋５５の内部に一体的に埋め込んだものでも良い。
【００３２】
前記内ケース４２の下面底部には、銅線を必要回数同心状に巻回したドーナツ状の平面コイル５８が配置され、コイル台６０により支持される。コイル台６０は、図４にその断面図（下方が内ケース４２側）を示し、図５にその底部から見た図（紙面と反対側が内ケース４２側）を示し、図６に図５のＢ矢視方向から見た図（下方が内ケース４２側）を示す。
【００３３】
コイル台６０は、図に示すように略円盤状でその全体は略水平な樹脂部材であり、その中央にはセンターセンサ８６が嵌入するための貫通孔６１が設けられ、該貫通孔６１の外周部には内ケース４２の筒状突起５４に嵌入する筒状の嵌合突起６２が設けられ、貫通孔６１と嵌合突起６２との間には、後記センターセンサ８６を取り付けるための２個の係止溝６１ａが設けられる。また、コイル台６０の外周部の一側部には、ヒューズ取付穴６３が設けられ、更に外周部には１個のヒューズ用ねじ穴６４が設けられ、ヒューズ取付穴６３に図示しないヒューズが挿入され、ヒューズ用ねじ穴６４に図示しないビスを螺合することにより取り付ける。
【００３４】
コイル台６０の外周部には、４個のビス穴６５が略等間隔に設けられる。この４個のビス穴６５のそれぞれは、コイル台６０が内ケース４２に取り付けられた際、内ケース４２の外周部に形成される４個のねじ穴５２のそれぞれと一致する位置に設けられるとともに、後記のコイル台押さえ７０の４個のそれぞれのビス穴７５とも一致する位置に設けられる。
【００３５】
また、４個のねじ穴５２の近傍には、略矩形状の取付アーム６６が設けられるとともに、これら取付アーム６６のそれぞれにはコイル台６０の上下面よりそれぞれ外方に突き出る形態で底部材８０をビス止めするための棒状の締結用ボス６７が設けられるとともに、これらボス６７には図６に示すように後記のコイル台押さえ７０から内ケース４２方向にかけて底部材取付用ねじ穴６７ａが形成される。これら底部材取付用ねじ穴６７ａは、底部材８０の４個の楕円穴８３と一致する位置に設けられる。前記４個の取付アーム６６は、取り付け時には図２に示すように電気炊飯器の４隅に位置するように配置される。そのため、これら取付アーム６６がコイル台６０の外周円から多少外方に突き出たとしても部品を配置する側部空間４１ａを狭めることはない。勿論、これら取付アーム６６をコイル台６０の外周端から突き出ないようにすることもできる。
【００３６】
なお、前記ボス６７は、４個以外の複数個であってもよく、前記土鍋５５との位置は、土鍋５５の底の径の領域内に設けられる。また、ビス穴６５と底部材取付用ねじ穴６７ａとを近接して設けることにより、組み付け時のビスの挿入並びに螺合の操作を容易にすることができる。
【００３７】
コイル台６０の平面コイル５８が載置する面（図４及び図６の下側）であって、前記嵌合突起６２とボス６７との間は水平面６８とされ、この水平面６８上に平面コイル５８が載置支持される。また、コイル台６０の下面（図４及び図６の上側）には４個の矩形状のフェライトコア用凹部６９が放射方向で且つ略等間隔に設けられ、これらフェライトコア用凹部６９には図示しない矩形状のフェライトコアが挿入される。このフェライトコアは、例えば酸化鉄を主原料とし、高透磁率の材料を焼結したものであり、平面コイル５８の磁束を増幅する。
【００３８】
符号７０はコイル台押さえである。コイル台押さえ７０は、略平板状の樹脂製部材であり、フェライトコア及びコイル台６０を固定するための部材であり、リング部７１及び押さえ片７２を有する。リング部７１は中央に位置し、その中央には、コイル台６０の嵌合突起６２であって、コア用凹部６９を有する面に形成される突出部分６２ａの外径より若干大きい開口部７３が形成され、取り付け時には、該開口部７３は突出部分６２ａに嵌合される。また、押さえ片７２は、リング部７１の外周面から外方に突き出る形態で放射状且つ略等間隔に設けられる略矩形状の部分であり、この中央には放射方向に補強用のリブ７４が設けられるとともに、その外周端近傍には、ビス穴７５が設けられる。
【００３９】
このビス穴７５は、コイル台押さえ７０の開口部７３がコイル台６０の突出部分６２ａに嵌合されると、コイル台６０の４個のビス穴６５及び内ケース４２の４個のねじ穴５２と一致する。即ち、図１に示すように、ビス７７を、コイル台押さえ７０のビス穴７５からコイル台６０のビス穴６５及び内ケース４２のねじ穴５２に挿入し、該ビス７７を内ケース４２のねじ穴５２に螺合することにより、１本のビスによりコイル台押さえ７０とフェライトコアとコイル台６０と内ケース４２とを同時に固定する。
【００４０】
底部材８０の平面を図８に示す。底部材８０は、電気炊飯器ａの底部を形成する４隅が円弧状でその全体が平面視略矩形状で断面皿状の樹脂製部材である。その前方側（図の左側）に複数個の排気口８１が設けられ、その後方側（図の右側）に複数個の吸気口８２が設けられる。また、底部材８０には、内方に向かって立設する形態で４個の内方突出部８４が形成されるとともに、該内方突出部８４の上面には、底部材８０をコイル台６０に取り付けるための４個の楕円穴８３が設けられる。この楕円穴８３を楕円形状にすることにより穴の位置に多少の誤差があったとしてもビスの取り付けを行うことができるようになる。
【００４１】
そして、この４個の楕円穴８３は、コイル台６０の４個の締結用ボス６７に形成される底部材取付用ねじ穴６７ａのそれぞれに対応した位置に形成されており、底部材８０をコイル台６０に取り付ける際、図１に示すように、内方突出部８４からビス８５を挿入し、該ビス８５をコイル台６０の４個の底部材取付用ねじ穴６７ａにそれぞれ螺合することにより取り付ける。
【００４２】
取り付けについて説明すると、電気炊飯器ａを逆さまにし、内ケース４２を、フランジ４２ａに形成される４個のビス穴５１から図示しないビスを挿入し、該ビスを肩部材４３に螺合することにより取り付ける。その後、内ケース４２底部の所定位置に平面コイル５８を載置し、接着剤等で仮止めする。
【００４３】
その後、内ケース４２の上にコイル台６０を取り付ける。コイル台６０を取り付ける前に、コイル台６０にセンターセンサ８６を取り付けておく。センターセンサ８６の取り付けは、図１に示すようにセンターセンサ８６の先端をコイル台６０の貫通孔６１から突出させるとともに、センターセンサ８６の下方に垂下する２本の係止片８７を、コイル台６０の貫通孔６１と嵌合突起６２との間に形成される２個の係止溝６１ａに無理嵌めすることにより行われる。なお、センターセンサ８６は、土鍋５５のセット状態を検知するリードスイッチ及び土鍋５５の温度を検知するサーミスタからなる公知の温度センサである。
【００４４】
コイル台６０の取り付けは、まず内ケース４２の底部中央の筒状突起５４にコイル台６０の嵌合突起６２を被せ、次いでコイル台６０の外周部の４個のビス穴６５と内ケース４２の４個のねじ穴５２とを一致させ、コイル台６０の４個のコア用凹部６９にそれぞれフェライトコアを載せることにより行われる。
【００４５】
次いで、コイル台押さえ７０を取り付ける。コイル台押さえ７０の取り付けは、まずコイル台６０の底部中央の突出部分６２ａにコイル台押さえ７０の開口部７３を被せ、コイル台押さえ７０外周部の４個のビス穴７５と、コイル台６０外周部の４個のビス穴６５と、内ケース４２の４個のねじ穴５２とを一致させる。その後、コイル台押さえ７０の４個のビス穴７５のそれぞれからビス７７を挿入し、ビス７７を内ケース４２の４個のねじ穴５２に螺合することにより行われ、コイル台押さえ７０とコイル台６０と内ケース４２とを一体化する。
【００４６】
次いで、底部材８０を取り付ける。底部材８０の取り付けは、まず肩部材４３の外周部に形成される凹部４３ａに外ケース４１上端部を嵌合した後に、外ケース４１の下端部にを底部材８０を被せ、底部材８０の４個の楕円穴８３とコイル台６０の４個の底部材取付用ねじ穴６７ａとを一致させ、次いで、底部材８０の４個の楕円穴８３からビス８５を挿入し、ビス８５をコイル台６０の４個の底部材取付用ねじ穴６７ａに螺合することにより行われ、底部材８０をコイル台６０に取り付ける。
【００４７】
このように本願発明では、底部材８０を取り付けるためのボスをコイル台６０の底部に設けることにより、外ケース４１と内ケース４２の間の側部空間４１ａを上下に貫通した広い空間とすることができ、その結果、この側部空間４１ａを有効利用することができるようになる。以下に側部空間４１ａに配置する部品について説明する。
【００４８】
容器本体４０前方側の外ケース４１には、表示装置９０が配置されるとともに、該表示装置９０直後の側部空間４１ａには、各種スイッチ及び表示パネル等が配置される操作基板９１が設けられる。
【００４９】
容器本体４０後方側、即ちヒンジ機構３１下方の側部空間４１ａには、制御基板９２が配置される。この制御基板９２には、誘導加熱に必要なパワートランジスタ(ＩＧＢＴ)等の各種電子回路素子が取り付けられる。これら各種電子回路素子には、例えば前記ＩＧＢＴ等のように発熱するため、より広い範囲に分散して配置する方が好ましい。そのため、図２に示すように制御基板９２を、直線状部分の側部空間４１ａとコーナー部の側部空間４１ａにかけての広い範囲に折れ曲がった状態で設けることにより、各電気素子の熱的影響を低減している。
【００５０】
また、制御基板９２の下方には、これら発熱素子の放熱を低減するためのヒートシンクとしてのフィン９３及び該フィン９３を冷却するための冷却ファン９４を設けるとともに、該冷却ファン９４の下方に空間を設けて底部材８０の吸気口８２を対向させている。このように冷却ファン９４と吸気口８２との間に空間を設けることにより、吸気が容易になる。吸気口８２より導入される冷却風は、フィン９３及び平面コイル５８等を冷却し、前方側の排気口８１より排出される。なお、底部材８０の後方側の隅部にはマグネットプラグ受け９５が配置される。
【００５１】
本願発明は、上記実施例の構成に限定されるものではなく、発明の要旨を逸脱しない範囲において適宜設計変更可能である。
【図面の簡単な説明】
【００５２】
【図１】本願発明の電気炊飯器の全体断面図
【図２】本願発明の電気炊飯器の底部材を取り外した状態を下方から見た図
【図３】本願発明の内ケースを下方から見た図
【図４】本願発明のコイル台の断面図（図５のＡ−Ａ線断面図）
【図５】本願発明のコイル台を下方から見た図
【図６】図５のＢ方向から見た図
【図７】本願発明のコイル台押さえを下方から見た図
【図８】本願発明の底部材を下方から見た図
【図９】従来の電気炊飯器の底部材取り付け状態を示す概略断面図
【符号の説明】
【００５３】
ａ…電気炊飯器              ２０…蓋部材
２０ａ…樹脂製蓋部材        ２０ｂ…金属製蓋部材
２１…上蓋                  ２２…下蓋
２３…放熱板                ２４…内カバー
２５…断熱材                ２６…ヒータ
２７…調圧栓                ２８…弁部材
２９…蒸気通路              ３０…蒸気口
３１…ヒンジ機構            ３２…ロック部材
４０…容器本体              ４１…外ケース
４１ａ…側部空間            ４２…内ケース
４２ａ…フランジ            ４３…肩部材
４３ａ…凹部                ４５…保温ヒータ
４６…断熱材                ４７…肩ヒータ
４８…セラミックプレート    ４９…凹部
５０…シリコン部材          ５１…ビス穴
５２…ねじ穴                ５３…中央開口
５４…筒状突起              ５５…土鍋
５５ａ…側面部              ５５ｂ…底面部
５５ｃ…湾曲部              ５６…環状突起
５７…発熱体                ５８…平面コイル
６０…コイル台              ６１…貫通孔
６１ａ…係止溝              ６２…嵌合突起
６２ａ…突出部分            ６３…ヒューズ取付穴
６４…ヒューズ用ねじ穴      ６５…ビス穴
６６…取付アーム            ６７…締結用ボス
６７ａ…底部材取付用ねじ穴  ６８…水平面
６９…コア用凹部            ７０…コイル押さえ
７１…リング部              ７２…押さえ片
７３…開口部                ７４…リブ
７５…ビス穴                ７７…ビス
８０…底部材                ８１…排気口
８２…吸気口                ８３…楕円穴
８４…内方突出部            ８５…ビス
８６…センターセンサ        ８７…係止片
９０…表示装置              ９１…操作基板
９２…制御基板              ９３…フィン
９４…冷却ファン            ９５…マグネットプラグ受け
【図１】
2008253646.tif 000003
【図２】
2008253646.tif 000004
【図３】
2008253646.tif 000005
【図４】
2008253646.tif 000006
【図５】
2008253646.tif 000007
【図６】
2008253646.tif 000008
【図７】
2008253646.tif 000009
【図８】
2008253646.tif 000010
【図９】
2008253646.tif 000011